(57)【特許請求の範囲】
【請求項１】
フレームに縦横に張り広げた状態で取り付けられて着座者を支える椅子のテンション材の張力調節構造において、前記テンション材の隅部の裏面を支持する支持体と、前記フレームのロッドに固定されて前記テンション材の裏側で前記支持体を案内するガイド部材と、当該ガイド部材に対する前記支持体の位置を変化させる位置決め手段を備え、前記ロッドは前記テンション材の裏側に配置されており、前記ガイド部材は前記支持体を一方向への案内によって前記テンション材の縦方向に案内しながら横方向にも案内して前記テンション材を押し広げて張ることを特徴とする椅子のテンション材の張力調節構造。
【請求項２】
フレームに縦横に張り広げた状態で取り付けられて着座者を支える椅子のテンション材の張力調節構造において、前記テンション材の左右両隅部の裏面を支持する一対の支持体と、前記フレームのロッドの左右に固定されて前記テンション材の裏側で前記一対の支持体を案内する一対のガイド部材と、当該一対のガイド部材に対する前記一対の支持体の位置を変化させる位置決め手段を備え、前記ロッドは前記テンション材の裏側に配置されており、前記一対のガイド部材は前記一対の支持体を一方向への案内によって前記テンション材の縦方向に案内しながら横方向にも案内して前記テンション材を押し広げて張ることを特徴とする椅子のテンション材の張力調節構造。
【請求項３】
前記ガイド部材は一側に底を有する筒形状を成すと共に、前記支持体は前記ガイド部材の外周にスライド可能に嵌め込まれ且つ一側に底を有する筒形状を成しており、前記位置決め手段は前記ガイド部材の底に形成されたねじ孔に前記ガイド部材内からねじ込まれ且つその先端を前記支持体の底に突き当てるねじであり、そのねじ込み量を変えることで前記支持体の前記ガイド部材に対する位置を変化させることを特徴とする請求項１又は２記載の椅子のテンション材の張力調節構造。
【請求項４】
前記ロッドは前記テンション材との間に間隔をあけて配置されていることを特徴とする請求項１又は２記載の椅子のテンション材の張力調節構造。
【発明の詳細な説明】
【０００１】
【発明の属する技術分野】
本発明は、椅子のテンション材の張力調節構造に関するものである。さらに詳しくは、本発明は、フレームに張り広げたテンション材を背もたれや座部として利用する椅子において、そのテンション材の張力を調節する構造に関するものである。
【０００２】
【従来の技術】
椅子の背もたれや座部をウレタン等のクッション材を使用して構成する代わりに、メッシュ地やキャンバス地等のテンション材によって構成することがある。かかるタイプの椅子では、テンション材を伸ばして広げた状態で椅子のフレームに取り付け、その上に腰掛けたり寄り掛かったりしている。そして、椅子の長年にわたる使用によってテンション材の張力が弱まると、テンション材をフレームから外して張力を掛け直して再度フレームに取り付けるようにしている。即ち、フレームからテンション材を取り外さずに張力の調節を行うことはできなかった。
【０００３】
【発明が解決しようとする課題】
しかしながら、テンション材の張力を掛け直すのにいちいちテンション材をフレームから取り外していたのでは、その作業が繁雑である。このため、テンション材を取り外さずにその張力を調節できる構造の開発が要請されていた。
【０００４】
本発明は、テンション材をフレームから取り外さずに張力の調節を行うことができる椅子のテンション材の張力調節構造を提供することを目的とする。
【０００５】
【課題を解決するための手段】
かかる目的を達成するために請求項１記載の発明は、フレームに縦横に張り広げた状態で取り付けられて着座者を支える椅子のテンション材の張力調節構造において、テンション材の隅部の裏面を支持する支持体と、フレームのロッドに固定されてテンション材の裏側で支持体を案内するガイド部材と、ガイド部材に対する支持体の位置を変化させる位置決め手段を備え、ロッドはテンション材の裏側に配置されており、ガイド部材は支持体を一方向への案内によってテンション材の縦方向に案内しながら横方向にも案内してテンション材を押し広げて張るものである。
【０００６】
したがって、支持体をガイド部材に対して一方向にスライドさせると、テンション材の隅部が縦方向にも横方向にも同時に引っ張られ、テンション材を押し広げて張る。また、支持体をガイド部材に沿って前記とは反対方向にスライドさせると、テンション材の隅部の引っ張りが弱められる。このため、テンション材の張力が強くなったり弱くなったりする。支持体のガイド部材に対する位置は、位置決め手段によって決められる。
【０００７】
また、請求項２記載の発明は、フレームに縦横に張り広げた状態で取り付けられて着座者を支える椅子のテンション材の張力調節構造において、テンション材の左右両隅部の裏面を支持する一対の支持体と、フレームのロッドの左右に固定されてテンション材の裏側で一対の支持体を案内する一対のガイド部材と、当該一対のガイド部材に対する一対の支持体の位置を変化させる位置決め手段を備え、ロッドはテンション材の裏側に配置されており、一対のガイド部材は一対の支持体を一方向への案内によってテンション材の縦方向に案内しながら横方向にも案内してテンション材を押し広げて張るものである。
【０００８】
したがって、支持体をガイド部材に対して一方向にスライドさせると、テンション材の隅部が縦方向にも横方向にも同時に引っ張られ、テンション材を押し広げて張る。また、支持体をガイド部材に沿って前記とは反対方向にスライドさせると、テンション材の隅部の引っ張りが弱められる。このため、テンション材の張力が強くなったり弱くなったりする。例えば、背もたれとして機能するテンション材の下側の左右両隅部を椅子のフレームに固定しておき、上側の左右両隅部を本発明の張力調節構造によってフレームに取り付けた場合、ガイド部材によって支持体を上方に案内しながら外側にも案内するようにすることで、テンション材の上側の左右両隅部を上にも横にも引っ張り、テンション材全体をより大きく引き伸ばすことができる。一方、支持体を反対方向にスライドさせると、テンション材の張力を弱めることができる。
【０００９】
さらに、請求項３記載の椅子のテンション材の張力調節構造は、ガイド部材は一側に底を有する筒形状を成すと共に、支持体はガイド部材の外周にスライド可能に嵌め込まれ且つ一側に底を有する筒形状を成しており、位置決め手段はガイド部材の底に形成されたねじ孔にガイド部材内からねじ込まれ且つその先端を支持体の底に突き当てるねじであり、そのねじ込み量を変えることで支持体のガイド部材に対する位置を変化させるものである。
【００１０】
したがって、ガイド部材内にドライバ等の工具を差し込んでねじを回転させると、このねじのガイド部材からの突出量が変化しガイド部材に対する支持体の位置が変わる。これにより、テンション材の隅部の位置が変化し、その張力も変化する。支持体内にガイド部材と位置決め手段が配置されるので、コンパクトである。
また、請求項４記載の椅子のテンション材の張力調節構造は、ロッドはテンション材との間に間隔をあけて配置されている。したがって、着座者がテンション材に腰かけたり寄り掛かったりした場合に体が膜状部材を挟んで当たるのを防止することができる。
【００１１】
【発明の実施の形態】
以下、本発明の構成を図面に示す最良の形態に基づいて詳細に説明する。
【００１２】
図１から図３に、本発明を適用した椅子のテンション材の張力調節構造（以下、単に張力調節構造という）の一実施形態を示す。張力調節構造は、フレーム１に縦横に張り広げた状態で取り付けられて着座者を支えるテンション材２についてのものであって、テンション材２の左右両隅部の裏面を支持する一対の支持体３と、フレーム１のロッド１ｂの左右に固定されてテンション材２の裏側で一対の支持体３を案内する一対のガイド部材４と、一対のガイド部材４に対する一対の支持体３の位置を変化させる位置決め手段５を備え、ロッド１ｂはテンション材２の裏側に配置されており、一対のガイド部材４は一対の支持体３を一方向への案内によってテンション材２の縦方向に案内しながら横方向にも案内してテンション材２を押し広げて張るものである。
【００１３】
テンション材２は、例えばキャンバス地、メッシュ地、フィルム地等の丈夫な布地である。本実施形態では、テンション材２によって例えば背もたれを構成している。したがって、上下方向がテンション材２の縦方向であり、左右方向がテンション材２の横方向である。テンション材２はほぼ台形状を成しており、その裏面の下側の左右両隅部には補強部材６が縫いつけられている。フレーム１を構成するプレート１ａの両端部に左右の補強部材６をねじ止めすることで、テンション材２の下部が張り広げられる。また、テンション材２の裏面の上側の左右両隅部には、支持体３が下から差し込まれる袋２ａが形成されている。
【００１４】
ガイド部材４は一側に底４ａを有する筒形状を成し、支持体３はガイド部材４の外周にスライド可能に嵌め込まれ且つ一側に底３ａを有する筒形状を成している。即ち、ガイド部材４と支持体３は二重管構造となっている。ガイド部材４は、フレーム１を構成するロッド１ｂの両端に立てた状態で固着されている。このとき、左右のガイド部材４の間隔は上端の方が下端の方に比べて若干広がっている。テンション材２の裏面に形成した袋２ａに支持体３を下から差し込み、左右の支持体３をガイド部材４の外周に挿入することで、テンション材２の上部が左右のガイド部材４の間に張り広げられる。
【００１５】
位置決め手段５は、例えばガイド部材４の底４ａに形成されたねじ孔４ｂにガイド部材４内からねじ込まれ且つその先端を支持体３の底３ａに突き当てるねじである。位置決め手段としてのねじ５のねじ込み量を変えると、支持体３のガイド部材４に対する位置が変化し、テンション材２の張力を調節することができる。
【００１６】
フレーム１を構成するロッド１ｂの中央にはブラケット７が固着されており、このブラケット７には、両端にバックアップロッド８が固着されたサブフレーム９が取り付けられている。左右のバックアップロッド８は、図４に示すようにガイド部材４の内側に位置してテンション材２が張り広げられる位置を前方に移動させる。即ち、仮にバックアップロッド８が無いとすると、テンション材２は支持体３の間隔が最小になる図４中２点差線で示す位置に張り広がることになるが、バックアップロッド８によってテンション材２を前方に移動させることで、テンション材２を表側から見た場合にこの部分が面一になり、椅子の美感や質感を向上させて商品価値を高めることができる。
【００１７】
なお、図中符号１０は座部である。また、フレーム１を構成するプレート１ａ，ロッド１ｂとサブフレーム９は中央が後方に引っ込むように湾曲しており、着座者がテンション材２に寄り掛かった場合に背中が当たらないようになっている。
【００１８】
テンション材２の張力を調節するには、ドライバ等の工具をガイド部材４内に下方から差し込んで位置決め手段であるねじ５を回転させれば良い。ねじ５のねじ込み量を増加させると、図２中二点鎖線で示すように支持体３がガイド部材４に案内されて上方に突出する。左右のガイド部材４の間隔は上端の方が下端の方よりも若干広がっているので、左右のねじ５のねじ込み量を増加させることで左右の支持体３を上方に移動させながら横方向外側にも移動させることができる。これにより、テンション材２が上に伸びながら同時に横方向にも広がり、テンション材２の張力が増加する。例えは、椅子を長年にわたり使用しているとテンション材２が伸びてその張力が減少することがある。この様な場合、ねじ５を回すという簡単な作業でテンション材２の張力を増やして元の張力に戻すことができる。
【００１９】
一方、ねじ５のねじ込み量を減少させると、支持体３を下げることができる。この場合、支持体３は下方に移動しながら横方向内側にも移動するので、テンション材２の伸びを縦方向にも横方向にも弱めることができて、テンション材２の張力を簡単に減少させることができる。
【００２０】
なお、上述の形態は本発明の好適な形態の一例ではあるがこれに限定されるものではなく本発明の要旨を逸脱しない範囲において種々変形実施可能である。例えば、上述の説明では、背もたれを構成するテンション材２の上側の左右両隅部に適用していたが、下側の左右両隅部に適用しても良い。また、テンション材２の上下左右の四隅部に適用しても良い。
【００２１】
また、上述の説明では、背もたれを構成するテンション材２に適用していたが、座部等を構成するテンション材２に適用しても良いことは勿論である。座部を構成するテンション材２に適用した場合には、縦方向である椅子の前後方向にも横方向である椅子の左右方向にも同時にテンション材２を張り広げることができる。
【００２２】
また、上述の説明では、テンション材２の左右両隅部に適用していたが、左右のいずれか一方の隅部のみに適用しても良いことは勿論である。
【００２３】
【発明の効果】
以上説明したように請求項１記載の椅子のテンション材の張力調節構造では、テンション材の隅部の裏面を支持する支持体と、フレームのロッドに固定されてテンション材の裏側で支持体を案内するガイド部材と、ガイド部材に対する支持体の位置を変化させる位置決め手段を備え、ロッドはテンション材の裏側に配置されており、ガイド部材は支持体を一方向への案内によってテンション材の縦方向に案内しながら横方向にも案内してテンション材を押し広げて張るので、テンション材を縦方向にも横方向にも同時に引き伸ばすことができる。このため、簡単な作業でテンション材の張力を調節することができる。
【００２４】
また、請求項２記載の椅子のテンション材の張力調節構造では、テンション材の左右両隅部の裏面を支持する一対の支持体と、フレームのロッドの左右に固定されてテンション材の裏側で一対の支持体を案内する一対のガイド部材と、当該一対のガイド部材に対する一対の支持体の位置を変化させる位置決め手段を備え、ロッドはテンション材の裏側に配置されており、一対のガイド部材は一対の支持体を一方向への案内によってテンション材の縦方向に案内しながら横方向にも案内してテンション材を押し広げて張るので、テンション材の左右について縦方向にも横方向にも同時に引き伸ばすことができる。即ち、簡単な作業でテンション材を縦方向に引き伸ばしながら左右両方向に広げることができる。
【００２５】
さらに、請求項３記載の椅子のテンション材の張力調節構造では、ガイド部材は一側に底を有する筒形状を成すと共に、支持体はガイド部材の外周にスライド可能に嵌め込まれ且つ一側に底を有する筒形状を成しており、位置決め手段はガイド部材の底に形成されたねじ孔にガイド部材内からねじ込まれ且つその先端を支持体の底に突き当てるねじであり、そのねじ込み量を変えることで支持体のガイド部材に対する位置を変化させるようにしているので、位置決め手段としてのねじを回転させるだけでテンション材の張力を調節することができる。このため、その作業がより一層簡単なものとなる。また、支持体内にガイド部材と位置決め手段を配置する構成であるので、コンパクトなものとなる。
また、請求項４記載の椅子のテンション材の張力調節構造では、ロッドはテンション材との間に間隔をあけて配置されている。したがって、着座者がテンション材に腰かけたり寄り掛かったりした場合に体が膜状部材を挟んで当たるのを防止することができる。
【図面の簡単な説明】
【図１】本発明を適用したテンション材の張力調節構造の実施形態の一例を示す分解斜視図である。
【図２】同張力調節構造を拡大して示す断面図である。
【図３】同張力調節構造によって張り広げられたテンション材を示す斜視図である。
【図４】バックアップロッドの働きを説明するための図である。
【符号の説明】
１  フレーム
２  テンション材
３  支持体
４  ガイド部材
５  位置決め手段
【図１】
0004497700.tif 000002
【図２】
0004497700.tif 000003
【図３】
0004497700.tif 000004
【図４】
0004497700.tif 000005